(57)【特許請求の範囲】
【請求項１】
平面矩形状を成した懸吊物の四隅を吊下げる４本の吊りボルトの側面に夫々装着する一対の挟着体と、吊りボルトを間に挟んだ状態で挟着体の左右両端部を固定する一対の連結ボルトと、各連結ボルトに上下揺動自在に連結され、吊りボルトに対して斜めに配設される長ボルトを連結せしめる一対の斜め支持体とで構成された吊りボルト用振れ止め金具であって、各挟着体の長手中央から該挟着体が平面直角になるように屈曲し、該屈曲部の吊りボルトに接触する部分に挟着突起を設け、該挟着体の各先端方向で夫々隣接する吊りボルトに対して一対の長ボルトを斜めに連結するように構成したことを特徴とする吊りボルト用振れ止め金具。
【請求項２】
前記挟着体において、前記連結ボルトの頭部に係止して連結ボルトの回転を阻止する係止突起を一方の挟着体の側面に設けた請求項１記載の吊りボルト用振れ止め金具。
【請求項３】
前記挟着体において、前記連結ボルトをネジ止めせしめるバーリングタップを一方の挟着体に設けた請求項１又は２記載の吊りボルト用振れ止め金具。
【請求項４】
前記挟着体において、一方の前記挟着体１に切り起こしを設け、他方の前記挟着体に該切り起こしの先端を係止せしめる係止孔を設けた請求項１乃至３いずれか記載の吊りボルト用振れ止め金具。
【請求項５】
前記挟着体において、一方の前記挟着体に断面鉤形状の係止部を設け、該係止部にて他方の前記挟着体を係止するように構成した請求項１乃至３いずれか記載の吊りボルト用振れ止め金具。
【請求項６】
前記斜め支持体は、平面Ｌ字形状に形成され、前記挟着体の間に連結する帯状の連結片と、該連結片の長手端部が屈曲されて前記長ボルトを貫通させてネジ止めするネジ止め部とを備えた請求項１記載の吊りボルト用振れ止め金具。
【請求項７】
前記斜め支持体は、帯板を屈曲して平面ターンバックル状に形成され、一端に前記連結ボルトを貫通せしめる貫通孔を備え、他端に斜め支持体をネジ止めする連結ネジ部を備えた請求項１記載の吊りボルト用振れ止め金具。
【請求項８】
前記斜め支持体は、平面山形状に形成された連結片と、該連結片から延長し平面Ｌ字形状に屈曲されたネジ止め部とで構成され、該連結片に、前記連結ボルトを固定ナットごと挿通せしめるボルト係止孔を形成した請求項１記載の吊りボルト用振れ止め金具。
【発明の詳細な説明】
【技術分野】
【０００１】
本発明は、主に天井面や天井裏に、ボックス状の軽量機器を吊りボルトで吊下げる際、軽量機器のコーナー部を支持する吊りボルトに装着して使用する吊りボルト用振れ止め金具に関するものである。
【背景技術】
【０００２】
天井面や天井裏に、天井吊り形エアコンやファンコイル等のボックス状の軽量機器を吊りボルトで吊下げる場合、この吊りボルトに振れ止め金具が装着される。この振れ止め金具は、軽量機器の四隅を吊り下げている吊りボルトに対して、長ボルトをブレース状に連結することで軽量機器の振れを防止するものである。
【０００３】
特許文献１及び特許文献２に、当出願人が先に提案した従来の振れ止め金具が記載されている。特許文献１の振れ止め金具は、吊りボルトの両側面を一対の挟着体にて挟み付け、該挟着体の両端部に斜め支持体を上下揺動自在に設けたもので、各斜め支持体に夫々長ボルトを連結することで、１本の吊りボルトに対して２本の長ボルトを同時に連結することができる構成である。
【０００４】
また、特許文献２の振れ止め金具は、１本の吊りボルトに対して１本の長ボルトを連結する金具で、吊りボルトの両側面を挟着体にて挟み付け、この挟着体の一端に斜め支持体を上下揺動自在にネジ止めし、この斜め支持体に１本の長ボルトを連結する構造である。
【先行技術文献】
【特許文献】
【０００５】
【特許文献１】特開平１０-３１８２４１号公報
【特許文献２】特開２００２-３３９９１８号公報
【発明の概要】
【発明が解決しようとする課題】
【０００６】
特許文献１に記載の振れ止め金具によると、１本の吊りボルトに対して２本の長ボルトを同時に連結することが可能でも、２本の長ボルトの連結方向は、挟着体の両端部から反対方向に離れるように連結するものであった。そのため、ボックス状の軽量機器を４本の吊りボルトで吊下げた場合、挟着体から両端部方向に延長された２本の長ボルトを有効に利用することは困難であった。すなわち、ボックス状の軽量機器の四隅を吊下げる４本の吊りボルトの振れ止めをするには、各四隅に配置した吊りボルト相互に長ボルトを向ける必要がある。
【０００７】
ところが、特許文献１の振れ止め金具は、１本の吊りボルトに装着した挟着体の両端部方向に沿って斜め支持体を延長したものであるから、この斜め支持体に連結した一対の長ボルトは挟着体から逆向きに広がり、四隅を吊下げる吊りボルト相互に連結することはできない。
【０００８】
そこで従来では、特許文献２に記載のような１本の吊りボルトに対して１本の長ボルトを連結する振れ止め金具が使用されている。ところが、ボックスの四隅を吊下げる４本の吊りボルトに対して振れ止めをする場合、隣接する吊りボルト相互にそれぞれ交差状に長ボルトを連結するので、吊りボルト１本ごとに２本の長ボルトを連結する必要がある。そうすると、ボックスの四隅を吊下げる４本の吊りボルトに対して合計８本の長ボルトが必要になり、これに伴って合計１６個の振れ止め金具を吊りボルトに固定する作業が必要になっていた。このような多数の固定作業は極めて手間がかかる他、特に高所において危険な作業にならざるを得なかった。
【０００９】
そこで本発明は、上述の課題を解消すべく創出されたもので、例えば天井吊り形エアコンやファンコイル等のボックス状の軽量機器を吊りボルトで吊下げる場合に、この吊りボルトを極めて合理的且つ安全に振れ止めすることができる吊りボルト用振れ止め金具の提供を目的とする。
【課題を解決するための手段】
【００１０】
上述の目的を達成すべく本発明における第１の手段は、平面矩形状を成した懸吊物の四隅を吊下げる４本の吊りボルトＰの側面に夫々装着する一対の挟着体１と、吊りボルトＰを間に挟んだ状態で挟着体１の左右両端部を固定する一対の連結ボルト２と、各連結ボルト２に上下揺動自在に連結され、吊りボルトＰに対して斜めに配設される長ボルトＱを連結せしめる一対の斜め支持体３とで構成された吊りボルト用振れ止め金具であって、各挟着体１の長手中央から該挟着体１が平面直角になるように屈曲し、該屈曲部の吊りボルトＰに接触する部分に挟着突起１Ｂを設け、該挟着体１の各先端方向で夫々隣接する吊りボルトＰに対して一対の長ボルトＱを斜めに連結するように構成したことにある。
【００１１】
第２の手段は、前記挟着体１において、前記連結ボルト２の頭部２Ａに係止して連結ボルト２の回転を阻止する係止突起１Ａを一方の挟着体１の側面に設けている。
【００１２】
第３の手段は、前記挟着体１において、前記連結ボルト２をネジ止めせしめるバーリングタップ１Ｃを一方の挟着体１に設けたものである。
【００１３】
第４の手段は、前記挟着体１において、一方の前記挟着体１に切り起こし１Ｄを設け、他方の前記挟着体１に該切り起こし１Ｄの先端を係止せしめる係止孔１Ｅを設けている。
【００１４】
第５の手段は、前記挟着体１において、一方の前記挟着体１に断面鉤形状の係止部１Ｆを設け、該係止部１Ｆにて他方の前記挟着体１を係止するように構成したものである。
【００１５】
第６の手段において、前記斜め支持体３は、平面Ｌ字形状に形成され、前記挟着体１の間に連結する帯状の連結片３Ａと、該連結片３Ａの長手端部が屈曲されて前記長ボルトＱを貫通させてネジ止めするネジ止め部３Ｂとを備えているものである。
【００１６】
第７の手段において、前記斜め支持体３は、帯板を屈曲して平面ターンバックル状に形成され、一端に前記連結ボルト２を貫通せしめる貫通孔３Ｃを備え、他端に斜め支持体３をネジ止めする連結ネジ部３Ｄを備えたものである。
【００１７】
第８の手段において、前記斜め支持体３は、平面山形状に形成された連結片３Ｅと、該連結片３Ｅから延長し平面Ｌ字形状に屈曲されたネジ止め部３Ｆとで構成され、該連結片３Ｅに、前記連結ボルト２を固定ナット４ごと挿通せしめるボルト係止孔３Ｇを形成したことにある。
【発明の効果】
【００１８】
本発明の請求項１のごとく、各挟着体１の長手中央から該挟着体１が平面直角になるように屈曲し、該屈曲部の吊りボルトＰに接触する部分に挟着突起１Ｂを設け、該挟着体１の各先端方向で夫々隣接する吊りボルトＰに対して一対の長ボルトＱを斜めに連結するように構成したことで、例えば天井吊り形エアコンやファンコイル等のボックス状の軽量機器を４本の吊りボルトＰで吊下げる場合に、１個の挟着体１で同時に２本の斜め支持体３を連結することができる。しかも、挟着突起１Ｂは、吊りボルトＰのねじ山に係止して挟着体１がずれるのを防止する。したがって、ボックスの四隅を吊下げる４本の吊りボルトに対してそれぞれ交差状に長ボルトを連結して振れ止めをするのに、合計８本の長ボルトが必要になるが、この際、８個の振れ止め金具で長ボルトを連結することが可能になる。この結果、多数本の長ボルトを極めて合理的に装着することができ、高所作業において安全な施工が可能になる。
【００１９】
請求項２のように、挟着体１において、連結ボルト２の頭部２Ａに係止して連結ボルト２の回転を阻止する係止突起１Ａを一方の挟着体１の側面に設けたことで、連結ボルト２の空回りを防止して装着作業を容易にすることができる。
【００２０】
請求項３のように、挟着体１において、前記連結ボルト２をネジ止めせしめるバーリングタップ１Ｃを一方の挟着体１に設けたことで、連結ボルト２をネジ止めする固定ナット４を省略して部品点数を少なくすることができる。
【００２１】
請求項４のごとく、挟着体１において、一方の前記挟着体１に切り起こし１Ｄを設け、他方の前記挟着体１に該切り起こし１Ｄの先端を係止せしめる係止孔１Ｅを設けたことで、吊りボルトＰの両側から一対の挟着体１で挟着したときに、各挟着体１の重合位置を係止孔１Ｄと係止孔１Ｅとを係合状態にすることで、挟着体１や連結ボルト２の装着作業性を向上させることができる。
【００２２】
請求項５のように、挟着体１において、一方の前記挟着体１に断面鉤形状の係止部１Ｆを設け、該係止部１Ｆにて他方の前記挟着体１を係止するように構成すると、吊りボルトＰの両側から一対の挟着体１で挟着したときに、各挟着体１の重合位置を係止部１Ｆが保持できるので、挟着体１や連結ボルト２の装着作業性を向上させることができる。
【００２３】
請求項６のように、斜め支持体３は、平面Ｌ字形状に形成され、前記挟着体１の間に連結する帯状の連結片３Ａと、該連結片３Ａの長手端部が屈曲されて前記長ボルトＱを貫通させてネジ止めするネジ止め部３Ｂとを備えているので、斜め支持体３の長さを調整する際に、連結片３Ａに沿って調整することが可能になる。したがって、連結片３Ａの長さを長くすることで、長ボルトＱの調整ストロークを長くすることも可能である。
【００２４】
請求項７のように、斜め支持体３は、帯板を屈曲して平面ターンバックル状に形成され、一端に前記連結ボルト２を貫通せしめる貫通孔３Ｃを備え、他端に斜め支持体３をネジ止めする連結ネジ部３Ｄを備えたことで、作業性の向上と共に、部品点数を減少させることもできる。
【００２５】
請求項８のごとく、斜め支持体３は、平面山形状に形成された連結片３Ｅと、該連結片３Ｅから延長し平面Ｌ字形状に屈曲されたネジ止め部３Ｆとで構成され、該連結片３Ｅに、前記連結ボルト２を固定ナット４ごと挿通せしめるボルト係止孔３Ｇを形成したことにより、挟着体１に連結ボルト２を装着した後で、この連結ボルト２に斜め支持体３を連結することができる。したがって、装着作業が簡単になり、作業性の向上を図ることができる。
【図面の簡単な説明】
【００２６】
【図１】本発明で固定する長ボルトの装着例を示す概念図である。
【図２】本発明の使用状態を示す側面図である。
【図３】本発明の使用状態を示す要部拡大斜視図である。
【図４】本発明の一実施例を示す分解斜視図である。
【図５】本発明の一実施例を示す平面図である。
【図６】本発明の他の実施例を示す一部断面図である。
【図７】本発明の他の実施例を示す一部断面図である。
【図８】本発明の他の実施例を示す要部斜視図である。
【図９】本発明の他の実施例を示す要部斜視図である。
【図１０】本発明の他の実施例を示す平面図である。
【図１１】本発明の他の実施例を示す平面図である。
【図１２】本発明の他の実施例を示す分解斜視図である。
【発明を実施するための形態】
【００２７】
本発明によると、例えば天井吊り形エアコンやファンコイル等のボックス状の軽量機器Ｒを４本の吊りボルトＰで吊下げる場合に、この吊りボルトＰを極めて合理的且つ安全に振れ止めすることができるなどといった当初の目的を達成した。
【００２８】
本発明振れ止め金具は、平面矩形状を成した懸吊物の四隅を吊下げる４本の吊りボルトＰに対して長ボルトＱを斜めに装着し、各吊りボルトＰの振れ止めを行う金具である（図１参照）。
【００２９】
本発明の主な構成は、挟着体１、連結ボルト２、斜め支持体３を備えている（図３参照）。挟着体１は、吊りボルトＰの側面を挟着する一対の金具である。この挟着体１は、長手中央から平面直角になるように屈曲されている（図５参照）。図示例では、２枚の挟着体１の吊りボルトＰに接触する部分に挟着突起１Ｂを設けている。この挟着突起１Ｂは、吊りボルトＰのねじ山に係止して挟着体１がずれるのを防止するものである。
【００３０】
連結ボルト２は、挟着体１の左右両端部を貫通する一対のボルトであり、この連結ボルト２を介して挟着体１に斜め支持体３を連結する。図示例の挟着体１には、連結ボルト２の頭部２Ａに係止して連結ボルト２の回転を阻止する係止突起１Ａを挟着体１の外側面に一対設けている（図４参照）。すなわち、２枚の挟着体１の内側に位置する挟着体１表面に上下一対の係止突起１Ａを形成し、この係止突起１Ａの間に頭部２Ａを挟み込むことで、連結ボルト２の回転を防止するものである。
【００３１】
斜め支持体３は、連結ボルト２に上下揺動自在に連結された金具である。屈曲された挟着体１の左右両端部に連結された斜め支持体３には長ボルトＱを連結する（図２参照）。そして、この長ボルトＱを隣接する吊りボルトＰに斜めに固定する。本発明では、この斜め支持体３を介して配設される長ボルトＱの先端方向が、挟着体１の両側に隣接する吊りボルトＰに対して斜めに連結するように構成している（図１参照）。
【００３２】
すなわち、軽量機器Ｒの四隅を４本の吊りボルトＰが懸吊した状態で、いずれか１本の吊りボルトＰに挟着体１を取り付けると、挟着体１の左右両端部が隣接する他の吊りボルトＰに向くように挟着体１を屈曲している。そして、挟着体１の端部が向いている吊りボルトＰに対し、連結ボルト２と斜め支持体３とを介して長ボルトＱを連結するものである（図２参照）。
【００３３】
本発明の挟着体１において次のような構成を設けることができる。例えば、図６に示す挟着体１には、連結ボルト２をネジ止めせしめるバーリングタップ１Ｃを挟着体１に設けている。図７、図８に示す挟着体１は、一方の挟着体１に他方の挟着体１に至る一対の切り起こし１Ｄを設け、他方の挟着体１に該切り起こし１Ｄの先端を係止せしめる一対の係止孔１Ｅを設けたものである。図９に示す挟着体１は、一方の挟着体１に他方の挟着体１に係止せしめる断面鉤形状の係止部１Ｆを一対設け、他方の挟着体１を該係止部１Ｆにて係止するように構成したものである。
【００３４】
斜め支持体３においても、次のように構成することが可能である。すなわち、図１０に示す斜め支持体３は、挟着体１に連結する帯状の連結片３Ａと、該連結片３Ａの端部から屈曲縁長されて長ボルトＱを連結せしめるネジ止め部３Ｂとで平面Ｌ字形状に形成されている。図１１に示す斜め支持体３は、一端に前記連結ボルト２を貫通せしめる貫通孔３Ｃを備え、他端に斜め支持体３をネジ止めする連結ネジ部３Ｄを備えた平面ターンバックル状を成したものである。図１２に示す斜め支持体３は、平面山形状に形成された連結片３Ｅと、該連結片３Ｅの端部から平面Ｌ字形状に屈曲されたネジ止め部３Ｆとで構成され、該連結片３Ｅに、前記連結ボルト２を固定ナット４ごと挿通せしめるボルト係止孔３Ｇを形成している。
【００３５】
尚、本発明振れ止め金具では、主に、天井吊り形エアコンやファンコイル等のボックス状の軽量機器Ｒを懸吊する吊りボルトＰに装着するものとして説明しているが、懸吊物は限られるものではなく、少なくとも懸吊物を４本の吊りボルトＰで囲むように懸吊する際の振れ止め金具として使用できるものである。また、本発明は図示例に限定されるものではなく、本発明の要旨を変更しない範囲での設計変更は自由である。
【符号の説明】
【００３６】
Ｐ  吊りボルト
Ｑ  長ボルト
Ｒ  軽量機器
１  挟着体
１Ａ  係止突起
１Ｂ  挟着突起
１Ｃ  バーリングタップ
１Ｄ  切り起こし
１Ｅ  係止孔
１Ｆ  係止部
２  連結ボルト
２  頭部
３  斜め支持体
３Ａ  連結片
３Ｂ  ネジ止め部
３Ｃ  タンバックル
４  固定ナット
【図１】
0005508489.tif 000002
【図２】
0005508489.tif 000003
【図３】
0005508489.tif 000004
【図４】
0005508489.tif 000005
【図５】
0005508489.tif 000006
【図６】
0005508489.tif 000007
【図７】
0005508489.tif 000008
【図８】
0005508489.tif 000009
【図９】
0005508489.tif 000010
【図１０】
0005508489.tif 000011
【図１１】
0005508489.tif 000012
【図１２】
0005508489.tif 000013